(57)【要約】【課題】検定打撃位置を機械的に更新移動させることにより、コンピュータや制御機器が不要で安価となる反発式硬度計の検定装置を目的とする【解決手段】基準硬度を有する硬度マスター２への検定打撃位置を、位置変更手段３により検定に影響を与えない離隔距離をもって逐一更新したうえ打撃ハンマ４ａにより検定打撃をして検定を行う反発式硬度計の検定装置において、位置変更手段３が、硬度マスター載置台６の底面に当接されて硬度マスター載置台６を周方向に一定距離僅少回動させる摩擦車７と、該摩擦車７を間歇的に回転させる一齣送り機構５と、該一齣送り機構５により硬度マスター載置台６を径方向に一定距離微小移動させる径方向送り機構９とからなる装置である。【選択図】    図１
2011047653.tif 000002
【特許請求の範囲】
【請求項１】
基準硬度を有する硬度マスターへの検定打撃位置を、位置変更手段により検定に影響を与えない離隔距離をもって逐一更新したうえ打撃ハンマにより検定打撃をして検定を行う反発式硬度計の検定装置において、位置変更手段が、硬度マスター載置台の底面に当接されて硬度マスター載置台を周方向に一定距離僅少回動させる摩擦車と、該摩擦車を間歇的に回転させる一齣送り機構と、該一齣送り機構により硬度マスター載置台を径方向に一定距離微小移動させる径方向送り機構とからなることを特徴とする反発式硬度計の検定装置。
【請求項２】
一齣送り機構のラチェットと駆動爪の係合を解く解除機構を設けたことを特徴とする請求項１に記載の反発式硬度計の検定装置。
【請求項３】
径方向送り機構が、硬度マスター載置台の回動を伝達する回転軸方向変換機構の送りプーリにより回転される回転軸と、該回転軸の先方部に形成された送りねじと、該送りねじに螺挿される固定の雌ねじとからなることを特徴とする請求項１または２に記載の反発式硬度計の検定装置。
【請求項４】
回転軸方向変換機構が、硬度マスター載置台に形成される駆動プーリと、駆動方向を変えるガイドプーリと、径方向送り機構の回転軸に取り付けられる送りプーリと、前記ガイドプーリを介して駆動プーリと送りプーリとに巻き掛けた送りベルトとからなることを特徴とする請求項３に記載の反発式硬度計の検定装置。
【請求項５】
硬度マスター載置台の動きを止めるブレーキ機構を設けたことを特徴とする請求項１から４のいずれかに記載の反発式硬度計の検定装置。
【発明の詳細な説明】
【技術分野】
【０００１】
本発明はワークの硬度を測定する反発式硬度計の検定装置に関するものである。
【背景技術】
【０００２】
従来、硬度計の較正を行う硬度計の検定装置として、硬度マスターを載置させた逆円錐台状の摩擦ローラを受けローラに背面が当接される中間ローラにより間歇回転させて検定打撃位置を打撃毎に逐一更新させるものがある（例えば、特許文献１参照）。
【０００３】
しかし、逆円錐台状の摩擦ローラの側面に中間ローラを当接させるため、圧接力が十分に得られないため、硬度マスターの回動量を一定させることが難しいという問題があった。また、硬度マスターの径方向の送りは中間ローラを摩擦ローラと受けローラ間で昇降動させることにより行っているが、摩擦ローラと受けローラは中間ローラと点接触しているので滑り発生し易いうえに、接触面の摩耗により送り位置が変動するという問題があった。
【先行技術文献】
【特許文献】
【０００４】
【特許文献１】特開２００９−６８９３３号公報
【発明の概要】
【発明が解決しようとする課題】
【０００５】
本発明は、硬度マスターの回動量や送り量を一定にして、検定打撃位置の離隔距離精度を高めて硬度マスターを無駄よく使用することができる反発式硬度計の検定装置を提供することを目的とするものである。
【課題を解決するための手段】
【０００６】
本発明は、基準硬度を有する硬度マスターへの検定打撃位置を、位置変更手段により検定に影響を与えない離隔距離をもって逐一更新したうえ打撃ハンマにより検定打撃をして検定を行う反発式硬度計の検定装置において、位置変更手段が、硬度マスター載置台の底面に当接されて硬度マスター載置台を周方向に一定距離僅少回動させる摩擦車と、該摩擦車を間歇的に回転させる一齣送り機構と、該一齣送り機構により硬度マスター載置台を径方向に一定距離微小移動させる径方向送り機構とからなることを特徴とする反発式硬度計の検定装置である。
【０００７】
なお、一齣送り機構のラチェットと駆動爪の係合を解く解除機構を設けたものとしてもよい。
【０００８】
また、径方向送り機構が、硬度マスター載置台の回動を伝達する回転軸方向変換機構の送りプーリにより回転される回転軸と、該回転軸の先方部に形成された送りねじと、該送りねじに螺挿される固定の雌ねじとからなるものとしてもよい。
【０００９】
さらに、回転軸方向変換機構が、硬度マスター載置台に形成される駆動プーリと、駆動方向を変えるガイドプーリと、径方向送り機構の回転軸に取り付けられる送りプーリと、前記ガイドプーリを介して駆動プーリと送りプーリとに巻き掛けた送りベルトとからなるものとしてもよい。
【００１０】
また、硬度マスター載置台の動きを止めるブレーキ機構を設けるものとしてもよい。
【発明の効果】
【００１１】
本発明は、位置変更手段が、硬度マスター載置台の底面に当接されて硬度マスター載置台を周方向に一定距離僅少回動させる摩擦車と、該摩擦車を間歇的に回転させる一齣送り機構と、該一齣送り機構により硬度マスター載置台を径方向に一定距離微小移動させる径方向送り機構とからなるものとすることにより、周方向と径方向の異なる動作を分離しているので、信頼性が高く位置精度の高い機構とすることができるうえに、一齣送り機構の動作に基づいて摩擦車と送り機構とを連動動作させるため周方向と径方向は同時に移動できるので、すばやく検定打撃位置に移動させることができる。また、各検定打撃位置の離隔距離は常に一定となるため硬度マスターの検定面を無駄なく有効に使えるので、ランニングコストの低減をはかることができる。
【００１２】
さらに請求項２のように、一齣送り機構のラチェットと駆動爪の係合を解く解除機構を設けたものとすることにより、硬度マスター載置台を初期位置に簡単に復帰移動させることができる。
【００１３】
また、請求項４のように、回転軸方向変換機構が、硬度マスター載置台に形成される駆動プーリと、駆動方向を変えるガイドプーリと、径方向送り機構の回転軸に取り付けられる送りプーリと、前記ガイドプーリを介して駆動プーリと送りプーリとに巻き掛けた送りベルトとからなるものとすることにより、硬度マスター載置台の周方向の回動が硬度マスター載置台の径方向の移動に確実且つ、円滑に変換される。
【００１４】
さらに、請求項５のように、硬度マスター載置台の動きを止めるブレーキ機構を設けることにより、打撃時、硬度マスターの揺れを確実に抑えることができるので、検定精度を高めることができる。
【図面の簡単な説明】
【００１５】
【図１】本発明の実施形態を示す一部切欠正面図である。
【図２】同じく平面図である。
【図３】同じく左側面図である。
【図４】同じく右側面図である。
【図５】同じく一部切欠平面図である。
【発明を実施するための形態】
【００１６】
次に、本発明の実施形態を図１〜５に基づいて詳細に説明する。
図１において、１は基準硬度を有する硬度マスター２への検定打撃を行なう反発式硬度計を組み込んだ検定装置であり、該検定装置１は検定に影響を与えない離隔距離をもって検定打撃点を逐一更新させる硬度マスター２の位置変更手段３と、ワークまたは硬度マスター２のいずれか一方に打撃ハンマ４ａを配置できる反発式硬度計４とよりなるものである。
【００１７】
前記位置変更手段３は図１、５に示されるように、一齣送り機構５により駆動されて硬度マスター載置台６を間歇的に周方向に一定距離僅少回動させる摩擦車７と、硬度マスター載置台６の間歇回動を後記する径方向送り機構９に伝達する回転軸方向変換機構８と、該回転軸方向変換機構８によって硬度マスター載置台６を半径方向に一定距離微小移動させる径方向送り機構９とからなる。
【００１８】
位置変更手段３により硬度マスター２が間歇的に周方向に一定距離僅少回動しながら径方向に一定距離微小移動することによって打撃ハンマ４ａの検定打撃位置は図２に示されるように、周方向及び半径方向において等間隔の渦巻き状となる。
【００１９】
一齣送り機構５は図１、５に示されるように、ベース１０上に立設されたフレーム１０ａに回動板１１を介して取り付けられるラチェット駆動シリンダ１２と、該ラチェット駆動シリンダ１２のロッド先端に取り付けられるばねよりなる駆動爪１２ａと、フレーム１０ａに軸止される回転自在なラチェット１３と、ラチェット１３の外周面に形成される係止溝１３ａと、駆動爪１２ａの後退時、後退する駆動爪１２ａによりラチェット１３が逆回転することを防止する連れ回り防止ばね１４とからなる。
【００２０】
１７は一端を軸止され枢動自在な回動板１１をロックする固定ねじ、１８はラチェット１３に設けられる手動用ハンドルであり、該手動用ハンドル１８は硬度マスター２を交換した際、硬度マスター載置台６を初期位置に復帰させるためにラチェット１３を逆回転させるものである。ラチェット１３を逆転させる際には、ラチェット１３の係止溝１３aに係合されている駆動爪１２a及び連れ防止ばね１４の押圧を解く必要があるため、固定ねじ１７を緩めて回動板１１を枢動させて駆動爪１２aの係止を解くとともに連れ回り防止ばね１４の押圧を解除する。
【００２１】
また、摩擦車７は図１に示されるように、硬度マスター載置台６の基台２０cを直交貫通して、フレーム１０ａと軸受け１０ｂ間に張架軸止されたラチェット１３の回転軸１３ｂの他端に取り付けられて、硬度マスター載置台６の底面に当接されている。７ａは摩擦車７の周面に設けられる摩擦リングであり、該摩擦リング７ａは硬度マスター載置台６の底面に形成されたアヤメローレットの摩擦面と当接して滑りを生じることなく硬度マスター載置台６を周方向に一定距離僅少移動させる。
【００２２】
前記回転軸１３ｂの軸線方向は硬度マスター載置台６の移動方向としている。７ｃは摩擦車７を硬度マスター載置台６の底面に圧接させる加圧ばねであり、該加圧ばね７ｃと摩擦面により摩擦車７がスリップして硬度マスター載置台６の移動量にずれが生じないようにしている。また、加圧ばね７cは軸受け１０ｂの底部に取り付けられている。
【００２３】
また、回転軸方向変換機構８は、図１に示されるように、硬度マスター載置台６に形成される駆動プーリ６ｃと、径方向送り機構９の回転軸８ｂに取り付けられる送りプーリ２１と、送りベルト２３の方向を変えるガイドプーリ２２と、前記駆動プーリ６ｃと送りプーリ２１とに巻き掛けられる送りベルト２３とからなり、水平回動を垂直回動に変換する。
【００２４】
さらに、径方向送り機構９は、図１に示されるように、硬度マスター載置台６の基台２０ｃを径方向にスライド自在とするリニアガイド２０と、硬度マスター載置台６の基台２０ｃに直交して軸止される回転軸８ｂと、該回転軸８bの先方部を形成される送りねじ８ａと、回転軸８bの中間部に取り付けられる回転軸方向変換機構８の送りプーリ２１と、前記送りねじ８ａに螺挿されてフレーム１０ａに固定される雌ねじ３０とからなる。前記リニアガイド２０はベース１０に敷設されるレール２０ａと、該レール２０aと係合するとともに基台２０cを立設させたリニアガイドブロック２０ｂとよりなる。
【００２５】
また、前記反発式硬度計４は図１に示されるように、上端にトリガーボタン４ｂを設けたもので、該トリガーボタン４ｂは検定打撃を行う際、打撃ハンマ４ａの打撃動作を行う付勢されたトリガーばねを手動またはシリンダ等でリリースさせるためのものである。
【００２６】
２５はブレーキ機構であり、該ブレーキ機構２５は硬度マスター載置台６の底面に圧接されるパッド２５ａとシリンダ２５ｂとからなり、検定打撃時に硬度マスター載置台６の揺れを止めて検定精度を向上させるものである。
【００２７】
このように構成されたものは、コンベアにより搬送されるワークに対して反発式硬度計４によりワークの硬度測定を行い、測定回数が例えば、１００回に達するか、１日ワークの硬度測定を行ったら、反発式硬度計４をコンベアと並設される検定装置１に移動させ、反発式硬度計４の打撃ハンマ４ａを検定装置１の硬度マスター２の検定面に当接させたうえ、トリガーボタン４ｂを作動させて打撃ハンマ４ａは基準硬度を有する硬度マスター２に対して検定打撃を行う。この検定打撃による検出値に基づいて反発式硬度計４の較正を行い硬度測定値が変わることがないようにしている。
【００２８】
較正後、反発式硬度計４を再びコンベア上のワーク位置に移動させてワークの硬度測定を繰り返すこととなる。そして、ワークの硬度測定回数が所定数に達するか、１日の作業が終了したら、再び、反発式硬度計４を検定装置１の硬度マスター２上に移動させて検定打撃を行うこととなるが、硬度マスター２と打撃ハンマ４ａ位置は前回の検定打撃位置と同じで、打撃ハンマ４ａによる圧痕が残っているため、更新移動手段３を作動させて硬度マスター２の打撃位置を検定に影響しない離隔距離だけ移動更新する。
【００２９】
更新移動手段３による硬度マスター２を取り付けた硬度マスター載置台６の更新移動は、一齣送り機構５のラチェット駆動シリンダ１２を作動させて、ラチェット１３の係止溝１３ａと係合する駆動爪１２ａを進出させれば、ラチェット１３の係止溝１３ａを１歯分回転させることとなる。
【００３０】
ラチェット１３の回転にともなって回転軸１３ａは回転するため、摩擦車７も回転し、硬度マスター載置台６を一定距離回転させる。硬度マスター載置台６の回転にともなって駆動プーリ６ｃも回転し、送りベルト２３を介して送りプーリ２１は回転し、送りねじ８ａは回転する。送りねじ８ａはベース１０に固定される雌ねじ３０に螺合され、基台２０ｃに軸止されているため、硬度マスター載置台６と送りプーリ２１とは径方向に移動することとなる。
【００３１】
そして、新しい検定打撃位置においてトリガーボタン４ｂを作動させてトリガーばねにより付勢されている打撃ハンマ４ａによる硬度マスター２に対する検定打撃を行い測定値に基づいて較正を行うことにより、反発式硬度計４によるワーク硬度を常に正確に測定することができるものとなる。
【符号の説明】
【００３２】
１  検定装置  
２  硬度マスター
３  位置変更手段
４  反発式硬度計
4a  打撃ハンマ
4b  トリガーボタン
５  一齣送り機構
６  硬度マスター載置台
6c  駆動プーリ
７  摩擦車
7a  摩擦リング
7c  加圧ばね
８  回転軸方向変換機構
8a  送りねじ
8b  回転軸
９  径方向送り機構
10  ベース
10a フレーム
10b 軸受け
11  回動板
12  ラチェット駆動シリンダ
12a 駆動爪
13  ラチェット
13a 係止溝
13b 回転軸
14  連れ回り防止ばね
17  固定ねじ
18  手動用ハンドル  
20  リニアガイド
20a レール
20b リニアガイドブロック
20c 基台
21  送りプーリ
22  ガイドプーリ
23  送りベルト
25  ブレーキ機構
25a パッド
25b シリンダ
30  雌ねじ
【図１】
2011047653.tif 000003
【図２】
2011047653.tif 000004
【図３】
2011047653.tif 000005
【図４】
2011047653.tif 000006
【図５】
2011047653.tif 000007